(57)【要約】【課題】自己の放送エリア外の放送番組の予約記録を可能とする、番組記録システム、番組記録管理サーバ、および記録センタを提供することを目的とする。【解決手段】番組記録管理サーバ１と、携帯端末２と、地域番組記録装置３を有する記録センタと、コンテンツ視聴装置４とが、通信ネットワーク５を介して接続される番組記録システム９において、携帯端末２が予約記録を行う視聴地域の放送番組情報を受信し、ユーザに予約番組を選択させる。そして、携帯端末２から視聴地域に関する地域情報を含んだ番組予約情報を番組記録管理サーバ１へ送信する。番組記録管理サーバ１は、地域情報に基づき番組予約情報を振り分けて地域番組記録装置３に送信する。次に、地域番組記録装置３は、受信した番組予約情報に基づき番組データを記録する。【選択図】図１
2010278934.tif 000002
【特許請求の範囲】
【請求項１】
放送予定を提示する放送番組情報を通信ネットワークを介して取得し放送番組を受信する旨の番組予約を行う携帯端末と、前記携帯端末から送信される番組予約情報を受信し、放送エリアごとに前記番組予約情報を振り分ける番組記録管理サーバと、前記番組記録管理サーバから受信した番組予約情報に基づいて前記放送番組を予約して番組データを後での視聴用に記録する番組記録装置を有する記録センタと、を備え、
前記番組記録管理サーバは、
前記通信ネットワークを介して情報の送受信を行う通信部と、
前記携帯端末のユーザを一意に特定するユーザＩＤおよび前記番組記録装置が設置される放送エリアを示す地域情報が、前記放送エリアごとに設置される前記番組記録装置の記録装置アドレスに紐付けられて格納される地域番組記録装置情報データベースが記憶される記憶部と、を備える番組記録システムであって、
前記携帯端末は、
前記ユーザＩＤと前記放送番組が放送される前記地域情報とを含んだ前記番組予約情報を、前記番組記録管理サーバに送信し、
前記番組予約情報を受信した番組記録管理サーバは、
前記ユーザＩＤおよび前記地域情報に基づき、前記地域番組記録装置情報データベースを参照して、前記番組予約情報を前記放送番組が放送される放送エリアの前記番組記録装置に振り分けて送信し、
前記番組記録装置は、
前記番組予約情報に基づいて前記番組データを記録すること
を特徴とする番組記録システム。
【請求項２】
前記記録センタは、
チューナと制御部と記憶部と通信部とを含んでなる顧客用の番組記録装置を複数と、前記複数の番組記録装置を外部の通信ネットワークに接続する接続装置とを有してなること
を特徴とする請求項１に記載の番組記録システム。
【請求項３】
放送予定を提示する放送番組情報を用いて放送番組を受信する旨の番組予約を行う携帯端末と、前記携帯端末から送信される番組予約情報を受信し、放送エリアごとに設けられた番組記録装置を有する記録センタとに通信ネットワークを介して接続される番組記録管理サーバであって、
前記番組記録管理サーバは、
前記通信ネットワークを介して情報の送受信を行う通信部と、
前記携帯端末のユーザを一意に特定するユーザＩＤおよび前記番組記録装置が設置される放送エリアを示す地域情報が、前記放送エリアごとに設置される前記番組記録装置の記録装置アドレスに紐付けられて格納される地域番組記録装置情報データベースが記憶される記憶部と、を備え、
前記携帯端末から、前記通信部を介して、前記ユーザＩＤと前記放送番組が放送される前記地域情報とを含んだ前記番組予約情報を取得する番組予約情報取得部と、
前記取得した番組予約情報に含まれる前記ユーザＩＤおよび前記地域情報に基づき、前記地域番組記録装置情報データベースを参照して、前記番組予約情報を前記放送番組が放送される放送エリアの前記番組記録装置に振り分けて送信する番組予約情報振り分け部と、
を備えることを特徴とする番組記録管理サーバ。
【請求項４】
前記番組記録管理サーバは、前記放送番組を視聴する機能を備えるコンテンツ視聴装置に、前記通信ネットワークを介して接続され、
前記番組記録管理サーバの記憶部は、
前記コンテンツ視聴装置の装置アドレスが前記ユーザＩＤに紐付けられて格納される視聴装置情報データベースをさらに備え、
前記番組記録管理サーバは、
前記携帯端末から番組データの配信先である自己の携帯端末または前記コンテンツ視聴装置に関する情報を含む番組データ配信要求を取得し、前記番組データを記録した前記番組記録装置に前記番組データ配信要求を振り分けて送信する番組データ配信要求振り分け部と、
前記番組記録装置から前記番組データを受信し、前記視聴装置情報データベースを参照して前記配信先の装置アドレスを取得し、前記番組データを転送する番組データ転送部と、
を備えることを特徴とする請求項３に記載の番組記録管理サーバ。
【請求項５】
放送予定を提示する放送番組情報を用いて放送番組を受信する旨の番組予約を行う携帯端末と、前記携帯端末から送信される番組予約情報を受信し、放送エリアごとに前記番組予約情報を振り分ける番組記録管理サーバと、通信ネットワークを介して接続され、各ユーザが指定する前記放送エリアに前記各ユーザごとに設置され、前記番組記録管理サーバから受信した番組予約情報に基づいて前記放送番組を予約して番組データを後での視聴用に記録する番組記録装置を有する記録センタであって、
前記記録センタは、
前記通信ネットワークを介して情報の送受信を行う通信部と、
前記番組予約情報および前記番組データが記憶される記憶部と、
アンテナを介して放送波を選局して受信するチューナ部と、
前記番組記録管理サーバから前記番組予約情報を受信し、前記記憶部に記憶する番組予約情報受信部と、
前記記憶した番組予約情報に基づいて、前記チューナ部を介して前記番組データを取得し、前記記憶部に記録する記録制御部と、
前記番組記録管理サーバからの番組データ配信要求に基づいて、前記記憶部に記録される番組データを前記番組記録管理サーバに配信する番組データ配信部と、
を備えることを特徴とする記録センタ。
【請求項６】
前記記録センタは、前記放送エリアで受信できるすべての番組データを記録させるマスタ記憶部をさらに備え、
前記記録制御部は、前記マスタ記録部に記憶された前記番組データのうち、前記番組予約情報に基づいてユーザが予約した前記放送番組の番組データについて、前記記憶部に記憶させること
を特徴とする請求項５に記載の記録センタ。
【請求項７】
前記記録センタは、
チューナと制御部と記憶部と通信部とを含んでなる顧客用の番組記録装置を複数と、前記複数の番組記録装置を外部の通信ネットワークに接続する接続装置とを有してなること
を特徴とする請求項５または請求項６に記載の記録センタ。
【発明の詳細な説明】
【技術分野】
【０００１】
本発明は、番組記録システム、番組記録管理サーバ、および記録センタに関する。
【背景技術】
【０００２】
家庭内に設置されているビデオレコーダ等の録画機器に、外部の携帯電話機等を使用して、放送番組等の録画予約を可能にする、通信ネットワークを利用した番組録画予約システムが開示されている（例えば、特許文献１参照）。
また、テレビ番組等の番組データを、ユーザＰＣ（Personal Computer）が受信し、受信した番組データをインターネットを介して配信する技術が開示されている（例えば、特許文献２等）。
これらの技術を用いれば、携帯端末等から自宅の録画機器等で放送番組の録画予約を行い、録画した番組データをインターネットを経由して、自宅以外の他の場所において携帯端末等で視聴することが可能となる。
【先行技術文献】
【特許文献】
【０００３】
【特許文献１】特開２００１−３０９２８５号公報（段落０００７）
【特許文献２】特開２００２−３４４９２０号公報（段落０００５）
【発明の概要】
【発明が解決しようとする課題】
【０００４】
しかしながら、家庭内等で受信し視聴できる放送番組等は、現在一定の放送エリアごとに認可を得た放送事業者（テレビ局、ラジオ局）が、電波を通じて配信した番組データに限られる。従って、例えば、東京に住んでいるユーザが、出身地の地方のニュースを見たり、地方の放送局のみで放送される番組を、その放送エリア外の東京において記録し視聴することはできない。
【０００５】
このような背景に鑑みて本発明がなされたのであり、本発明は、自己の放送エリア外の放送番組の予約記録を可能とする、番組記録システム、番組記録管理サーバ、および番組記録装置を提供することを目的とする。
【課題を解決するための手段】
【０００６】
前記課題を解決するため、本発明の番組記録システム、番組記録管理サーバ、および記録センタは、番組記録管理サーバと、携帯端末と、番組記録装置を有する記録センタと、コンテンツ視聴装置とが、通信ネットワークを介して接続されるように構成し、携帯端末が予約記録を行う視聴地域の放送番組情報を受信し、ユーザに予約番組を選択させる。そして、携帯端末から視聴地域に関する地域情報を含んだ番組予約情報を番組記録管理サーバへ送信する。番組記録管理サーバは、地域情報に基づき番組予約情報を、該当する視聴地域の番組記録装置に振り分けて送信する。次に、番組記録装置は、受信した番組予約情報に基づき番組データを記録する。
【発明の効果】
【０００７】
本発明によれば、自己の放送エリア外の放送番組の予約記録を可能する、番組記録システム、番組記録管理サーバ、および記録センタを提供することができる。
【図面の簡単な説明】
【０００８】
【図１】本実施形態１に係る番組記録システムの構成例を示す図である。
【図２】本実施形態１に係る携帯端末の構成例を示す機能ブロック図である。
【図３】本実施形態１に係る番組記録管理サーバの構成例を示す機能ブロック図である。
【図４】本実施形態１に係る番組予約情報データベースに記憶される番組予約情報のデータ構成の一例を示す図である。
【図５】本実施形態１に係る地域番組記録装置情報データベースに記憶される地域番組記録装置情報のデータ構成の一例を示す図である。
【図６】本実施形態１に係る記録コンテンツ情報データベースに記憶される記録コンテンツ情報のデータ構成の一例を示す図である。
【図７】本実施形態１に係る視聴装置情報データベースに記憶される視聴装置情報のデータ構成の一例を示す図である。
【図８】本実施形態１に係る地域番組記録装置の構成例を示す機能ブロック図である。
【図９】本実施形態１に係るコンテンツ視聴装置の構成例を示す機能ブロック図である。
【図１０】本実施形態１に係る番組記録システムの処理の流れを示すシーケンス図である。
【図１１】本実施形態２に係る番組記録システムの構成例を示す図である。
【図１２】本実施形態２に係る地域番組記録制御サーバと記録サーバの構成例を示す機能ブロック図である。
【図１３】本実施形態３に係る番組記録システムの構成例を示す図である。
【図１４】本実施形態３に係るマスタ地域番組記録装置とユーザ記録装置の構成例を示す機能ブロック図である。
【発明を実施するための形態】
【０００９】
次に、本発明を実施するための形態（「実施形態」という）について、適宜図面を参照しながら詳細に説明する。
【００１０】
〔実施形態１〕
図１は、本実施形態１に係る番組記録システム９の構成例を示す図である。
番組記録システム９は、番組記録管理サーバ１と、携帯端末２と、地域番組記録装置（番組記録装置）３と、コンテンツ視聴装置４と、ルータ装置１３とを含んで構成され、通信ネットワーク５を介して接続されている。ここで通信ネットワーク５は、例えば、インターネット等のネットワークであり、ＩＰ（Internet Protocol）に基づき制御が行われるものとして説明する。
なお、記録センタは、複数の地域番組記録装置３と、当該複数の地域番組記録装置３を通信ネットワーク５に接続する接続装置としてのルータ装置１３を含めて構成される。
【００１１】
本実施形態１に係る番組記録システム９における動作の概要について説明する。
まず、携帯端末２において、ユーザにより、予約録画を行いたい番組の視聴地域（放送エリア）の放送番組情報（例えば、ＥＰＧ（Electronic Program Guide：電子番組ガイド）情報）が選択され、表示された視聴地域の放送番組情報から予約録画を行う放送番組を選択決定することで、その地域情報を含んだ番組予約情報を、携帯端末２から番組記録管理サーバ１に送信する。
そして、番組予約情報を受信した番組記録管理サーバ１は、番組予約情報に含まれる地域情報に基づき、放送エリアに対応して各視聴地域ａ，ｂ，…，ｍごとに設置された地域番組記録装置３に、番組予約情報を振り分ける。次に、番組予約情報を受信した地域番組記録装置３は、その番組予約情報に基づいて、その地域で放送される番組データを記録する。続いて、地域番組記録装置３は、記録した番組データに関する情報である記録コンテンツ情報を、番組記録管理サーバ１へ送信する。
次に、番組記録管理サーバ１は、各地域番組記録装置３から取得した記録コンテンツ情報をユーザごとに集計し、携帯端末２の要求により集計した記録コンテンツ情報を送信する。続いて、携帯端末２により配信を希望する記録コンテンツが選択されると、その記録コンテンツ配信要求情報を番組記録管理サーバ１経由で、その記録コンテンツを記憶する地域番組記録装置３へと送信する。そして、地域番組記録装置３は、その記録コンテンツに関する番組データを、番組記録管理サーバ１経由で、携帯端末２により指定された自己の携帯端末２またはコンテンツ視聴装置４に配信する。
【００１２】
ここで、番組記録管理サーバ１は、本発明の実施形態１に係る番組記録システム９を用いるサービス提供者により設置されるものであり、携帯端末２（２Ａ，２Ｂ，…２Ｎ）を所有する各ユーザＡ，Ｂ，…，Ｎが、予めこのサービス提供者と契約することにより、番組記録管理サーバ１とのデータ通信が可能となる。そして、ユーザは、予約録画を行いたい１つ以上の視聴地域に、地域番組記録装置３を設置する。例えば、携帯端末２Ａのユーザは、視聴地域ａ「東京」，視聴地域ｂ「大阪」等の予めサービス提供者と契約した１つ以上の視聴地域において、地域番組記録装置３Ａａ，３Ａｂ，…，３Ａｍを設置する。同様に、携帯端末２Ｂのユーザは、サービス提供者と契約した１つ以上の視聴地域に、地域番組記録装置３Ｂａ，３Ｂｂ，…，３Ｂｍを設置する。
なお、本実施形態では、地域番組記録装置３の設置は、サービス提供者がユーザに代わって行う。つまり、地域番組記録装置３の購入・据付・調整とも、サービス提供者がユーザに代わって行い、設置に要した費用は、月ごとの会費や利用料金をユーザから徴収することで回収する。もちろん、サービス提供者は、設置に要した費用をユーザから一括払いや分割払いで回収してもよい。ちなみに、月ごとの会費や利用料金から回収するとした場合、ユーザは、本番組記録システム９を利用しやすいというメリットがある。また、後記するように、広告をユーザに視聴させることで、設定費用の低減化・無料化を図ることも可能である。
【００１３】
次に、本実施形態１に係る番組記録システム９を構成する各装置について具体的に説明する。
【００１４】
〔携帯端末〕
図２は、本実施形態１に係る携帯端末２の構成例を示す機能ブロック図である。
図２に示すように、携帯端末２は、制御部２０と、通信部２１と、入力部２２と、出力部２３と、メモリ部２４と、記憶部２５とを含んで構成される。
【００１５】
制御部２０は、番組記録管理サーバ１に対して、各視聴地域の放送番組情報１００に基づき番組予約情報２００を送信し、地域番組記録装置３が記録した番組データを、自身の携帯端末２またはコンテンツ視聴装置４に配信させる指示を与える。
また、制御部２０は、地域番組情報要求部２１０と、地域番組情報受信部２２０と、番組予約情報送信部２３０と、記録コンテンツ情報要求部２４０と、記録コンテンツ配信要求部２５０と、記録コンテンツ受信部２６０と、表示制御部２７０とを含んで構成される。なお、この制御部２０の機能は、例えば携帯端末２の記憶部２５に記憶されたプログラムをＣＰＵ（Central Processing Unit）がメモリ部２４に展開し実行することで実現される。
【００１６】
地域番組情報要求部２１０は、各視聴地域（放送エリア）ごとの放送番組情報（例えば、ＥＰＧ情報）１００を、地域番組情報要求メッセージとして番組記録管理サーバ１に要求する。ここで、放送番組情報１００は、放送日、放送時間（放送開示時刻・放送終了時刻）、番組内容、放送局（コンテンツ提供者）等の予約録画に必要となる放送番組に関する情報である。この放送番組情報１００は、各視聴地域（放送エリア）ごとに異なるため、例えば同じ時刻でも、東京地域と大阪地域とでは異なった番組内容の放送番組情報１００となる。地域番組情報要求部２１０は、ユーザにより指定された視聴地域の放送番組情報１００を、番組記録管理サーバ１に要求する。
【００１７】
地域番組情報受信部２２０は、地域番組情報要求部２１０で要求した視聴地域に対応する放送番組情報１００を番組記録管理サーバ１から受信し、表示制御部２７０を介して出力部２３に表示させる。
【００１８】
番組予約情報送信部２３０は、出力部２３に表示された各視聴地域の放送番組情報１００から、録画したい放送番組が入力部２２を介してユーザにより選択されると、その選択された放送番組についての地域情報を含む番組予約情報２００を番組記録管理サーバ１に送信する。なお、この番組予約情報２００については、後記する図４において詳細に説明する。
【００１９】
記録コンテンツ情報要求部２４０は、番組記録管理サーバ１がユーザごとに集計した記録コンテンツ情報４００を、記録コンテンツ情報要求メッセージとして番組記録管理サーバ１に要求する。ここで、記録コンテンツ情報４００とは、地域番組記録装置３が番組記録管理サーバ１へ送信する、番組データの記録が完了したことを示す情報であり、詳細は、後記する図６において説明する。
【００２０】
記録コンテンツ配信要求部２５０は、番組記録管理サーバ１から記録コンテンツ情報４００を受信し、表示制御部２７０を介してその記録コンテンツ情報４００を出力部２３に表示させる。そして、記録コンテンツ配信要求部２５０は、出力部２３に表示された記録コンテンツ情報４００から、視聴したい放送番組が入力部２２を介してユーザにより決定されると、その決定された放送番組についての記録コンテンツ配信要求メッセージを、番組記録管理サーバ１へ送信する。このとき、記録コンテンツ配信要求部２５０は、ユーザが決定した視聴したい放送番組の配信先を選択する画面を表示制御部２７０を介して出力部２３に表示させ、自身の携帯端末２あるいは予め登録したコンテンツ視聴装置４のうちから選択した少なくとも１つを配信先として決定し、その配信先に関する情報を含んだ記録コンテンツ配信要求メッセージを、番組記録管理サーバ１へ送信する。
【００２１】
記録コンテンツ受信部２６０は、番組記録管理サーバ１を介して、地域番組記録装置３から記録コンテンツ６００（後記する図８参照）に関する番組データを受信し、表示制御部２７０を介して出力部２３に、地域番組記録装置３が記録した放送番組を表示する。
【００２２】
次に、通信部２１は、通信ネットワーク５（図１参照）を介して、番組記録管理サーバ１との間で、放送番組情報１００や、記録コンテンツ情報４００等に関するデータの送受信を行う。また、入力部２２は、キーボードやタッチパネル等からなる入力手段からなり、番組の予約や配信に必要な情報の入力を行う。出力部２３は、液晶ディスプレイ等からなる表示手段と、音声データを出力するスピーカ等からなる。メモリ部２４は、ＲＡＭ（Random Access Memory）等の記憶手段からなり、制御部２０の処理に必要な情報を一時的に記憶する。記憶部２５は、ＲＯＭ（Read Only Memory）等の記憶手段からなり、制御部２０を制御するためのプログラム等を記憶する。
【００２３】
このようにすることで、本実施形態１に係る携帯端末２は、視聴地域（放送エリア）ごとの放送番組情報１００を取得して、その視聴地域で放送される番組に関する番組予約情報２００を番組記録管理サーバ１へ送信することができる。そして、記録された番組データを、予め登録した携帯端末２やコンテンツ視聴装置４に配信させる要求を行うことが可能となる。
【００２４】
〔番組記録管理サーバ〕
番組記録管理サーバ１（図１参照）は、携帯端末２から地域情報を含む番組予約情報２００を受信し、その地域情報を基に、対応する視聴地域の地域番組記録装置３に番組予約情報２００を振り分けて送信する。また、各地域番組記録装置３から、記録した番組データに関する情報である記録コンテンツ情報４００を収集し、ユーザにより選択された記録コンテンツ６００に関する番組データを地域番組記録装置３から取得して、当該携帯端末２またはコンテンツ視聴装置４へ配信する。
【００２５】
図３は、本実施形態１に係る番組記録管理サーバ１の構成例を示す機能ブロック図である。図３に示すように、番組記録管理サーバ１は、制御部１０と、通信部１１と、メモリ部１４と、記憶部１５とを含んで構成される。
【００２６】
制御部１０は、番組予約情報２００を各視聴地域に設けられた地域番組記録装置３に振り分け、地域番組記録装置３から取得した記録コンテンツ６００を配信する制御を行い、地域番組情報要求取得部１１０と、地域番組情報送信部１２０と、番組予約情報取得部１３０と、番組予約情報振り分け部１４０と、記録コンテンツ情報取得部１５０と、記録コンテンツ配信要求振り分け部１６０と、記録コンテンツ転送部１７０とを含んで構成される。なお、この制御部１０の機能は、例えば番組記録管理サーバ１の記憶部１５に記憶されたプログラムをＣＰＵがメモリ部１４に展開し実行することで実現される。
【００２７】
地域番組情報要求取得部１１０は、通信部１１を介して、携帯端末２から地域番組情報要求メッセージを取得する。そして、地域番組情報送信部１２０は、地域番組情報要求メッセージで指定される視聴地域（放送エリア）の放送番組情報１００を、記憶部１５内の地域番組情報データベース（ＤＢ：Data Base）１５１から取得し、通信部１１を介して携帯端末２へ送信する。
ここで、放送番組情報１００は、例えば、放送日、放送時間、番組内容、放送局に関する情報が含まれるＥＰＧ情報である。そして、各視聴地域（放送エリア）ごとの放送番組情報１００（１００ａ，１００ｂ，…，１００ｍ）が、地域番組情報データベース１５１に予め記憶される。
【００２８】
番組予約情報取得部１３０は、ユーザにより選択された予約番組に関する番組予約情報２００を、携帯端末２から通信部１１を介して取得する。そして、番組予約情報取得部１３０は、取得した番組予約情報２００を記憶部１５内の番組予約情報データベース（ＤＢ）１５２に記憶する。
【００２９】
図４は、本実施形態１に係る記憶部１５内の番組予約情報データベース１５２に記憶される番組予約情報２００のデータ構成の一例を示す図である。
図４に示すように、番組予約情報２００は、ユーザＡ，Ｂ，…，Ｎごとに固有の番号であるユーザＩＤ（Identification)２０１に関連付けて、地域情報２０２、番組ＩＤ２０３、コンテンツ提供者（放送局）２０４、記録予約日２０５、記録開始時刻２０６、および記録終了時刻２０７を含んで構成される。ここで、地域情報２０２は、ユーザが視聴したい番組が放送される視聴地域（放送エリア）を示す。また、番組ＩＤ２０３は、放送番組ごとに設定される固有の番号であり、この番組ＩＤ２０３の指定をすることで、コンテンツ提供者２０４，記録予約日２０５，記録開始時刻２０６，記録終了時刻２０７までのデータ項目が設定できる。
【００３０】
なお、本実施形態１の番組予約情報２００は、図４に示すような、ＥＰＧ情報による番組単位の情報だけでなく、複数の番組を一度に記録するように、例えば、４月１日のＸ放送の１９時００分から２３時００分など、番組ＩＤ２０３を指定せず、記録開始時刻２０６と記録終了時刻２０７とで指定するものでもよい。また、携帯端末２に放送番組情報１００を表示させる際に、俳優や歌手等の出演者名による検索により、該当する出演者に関わる放送番組を優先的に表示させて、その番組をユーザに選択させることにより、番組予約情報２００を生成してもよい。
【００３１】
図３に戻り、番組予約情報振り分け部１４０は、番組予約情報取得部１３０が取得した番組予約情報２００に含まれるユーザＩＤ２０１と地域情報２０２（図４参照）とに基づき、記憶部１５内の地域番組記録装置情報データベース（ＤＢ）１５３に記憶された地域番組記録装置情報３００を参照して、番組予約情報２００を、各視聴地域の地域番組記録装置３に振り分けて送信する。
【００３２】
図５は、本実施形態１に係る記憶部１５内の地域番組記録装置情報データベース１５３に記憶される地域番組記録装置情報３００のデータ構成の一例を示す図である。
図５に示すように、地域番組記録装置情報３００は、ユーザＩＤ２０１および地域情報２０２と紐付けられて、記録装置アドレス３０１が記憶されている。この記録装置アドレス３０１は、各視聴地域に設置された地域番組記録装置３のデータの送信先となる装置アドレスである。
【００３３】
番組予約情報振り分け部１４０は、この地域番組記録装置情報３００を参照し、携帯端末２から受信した番組予約情報２００に含まれるユーザＩＤ２０１と地域情報２０２とを用いて、対応する視聴地域に設置された地域番組記録装置３の記録装置アドレス３０１を取得する。そして、番組予約情報振り分け部１４０は、番組予約情報２００を、対応する視聴地域の地域番組記録装置３の記録装置アドレス３０１宛に送信する。
【００３４】
図３に戻り、記録コンテンツ情報取得部１５０は、各視聴地域の地域番組記録装置３が番組予約情報２００に基づいて番組データの記録を完了したこと報知する情報である記録コンテンツ情報４００を通信部１１を介して、地域番組記録装置３から取得し、記憶部１５内の記録コンテンツ情報データベース（ＤＢ）１５４に記憶する。
【００３５】
図６は、本実施形態１に係る記憶部１５内の記録コンテンツ情報データベース１５４に記憶される記録コンテンツ情報４００のデータ構成の一例を示す図である。
図６に示すように、記録コンテンツ情報４００は、ユーザＩＤ２０１に紐付けられて、各視聴地域の地域番組記録装置３が番組予約情報２００を基に記録した番組データ（記録コンテンツ）に関する情報が集計され記憶される。
例えば、ユーザＩＤ２０１が「goomo 0001」のユーザＡは、地域情報２０２が「ａ（東京）」と「ｆ（沖縄）」の２つの番組を予約し記録していることを示している。
【００３６】
記録コンテンツ情報取得部１５０は、番組データの記録が完了する度に地域番組記録装置３から送られてくる記録コンテンツ情報４００に基づき、この記録コンテンツ情報データベース１５４を更新する。また、記録コンテンツ情報取得部１５０は、携帯端末２から送信される記録コンテンツ情報要求メッセージに応答して、記録コンテンツ情報データベース１５４に記憶された記録コンテンツ情報４００のユーザごとのリストを作成し、携帯端末２へ送信する。
【００３７】
図３に戻り、記録コンテンツ配信要求振り分け部（番組データ配信要求振り分け部）１６０は、携帯端末２から受信した記録コンテンツ配信要求メッセージを、地域番組記録装置情報データベース１５３に記憶された地域番組記録装置情報３００（図５参照）を用いて、該当する地域番組記録装置３に振り分けて送信する。
【００３８】
記録コンテンツ転送部（番組データ転送部）１７０は、携帯端末２で選択された放送番組の番組データの配信先となる携帯端末２またはコンテンツ視聴装置４の装置アドレスを、記憶部１５内の視聴装置情報データベース（ＤＢ）１５５に記憶された視聴装置情報５００を参照して取得し、地域番組記録装置３から配信された番組データを、指定された携帯端末２やコンテンツ視聴装置４に転送する。
【００３９】
図７は、本実施形態１に係る記憶部１５内の視聴装置情報データベース１５５に記憶される視聴装置情報５００のデータ構成の一例を示す図である。
図７に示すように、視聴装置情報５００は、ユーザＩＤ２０１に紐付けられて、携帯端末２やコンテンツ視聴装置４に関する装置アドレス５０１が記憶されている。この装置アドレス５０１は、個々のユーザの登録により、ユーザＩＤ２０１に関連付けて予め登録されているものである。
記録コンテンツ転送部１７０は、携帯端末２で指定された記録コンテンツ（番組データ）６００の配信先の装置アドレス５０１を、この視聴装置情報５００を用いて取得し、番組データの転送を行う。
【００４０】
図３に戻り、通信部１１は、通信ネットワーク５を介して、携帯端末２、地域番組記録装置３、およびコンテンツ視聴装置４との間で、番組予約情報２００や記録コンテンツ情報４００に関するデータの送受信を行う。
また、メモリ部１４は、ＲＡＭ等の記憶手段からなり、制御部１０の処理に必要な情報を一時的に記憶する。
記憶部１５は、ハードディスクやフラッシュメモリ等の記憶手段からなり、地域番組情報データベース１５１と、番組予約情報データベース１５２と、地域番組記録装置情報データベース１５３と、記録コンテンツ情報データベース１５４と、視聴装置情報データベース１５５とを含んで構成される。
【００４１】
このようにすることで、番組記録管理サーバ１は、携帯端末２から取得した番組予約情報２００を振り分けて、各地域の地域番組記録装置３に送信することができる。
【００４２】
〔ルータ装置〕
ルータ装置１３（図１参照）は、ネットワーク相互間でのデータ中継を行う装置であり、インターネット網への接続サービスを提供するＩＰＳ（Internet Service Provider）から割り当てられるグローバルＩＰアドレスを広域ネットワーク（通信ネットワーク５）側に受け付けるＤＨＣＰ（Dynamic Host Configuration Protocol）クライアント機能、ＬＡＮ（Local Area Network）側に接続された地域番組記録装置３にローカルＩＰアドレスを割り当てるＤＨＣＰサーバ機能、ＬＡＮ側に接続された地域番組記録装置３のローカルＩＰアドレスを広域ネットワーク側のグローバルＩＰアドレスに変換するＮＡＴ機能、及びＬＡＮ側に接続された複数の地域番組記録装置３のＭＡＣ（Media Access Control）アドレスを用いて同時にインターネットアクセスを実現するためのＩＰマスカレード機能などを備えている。
【００４３】
〔地域番組記録装置〕
地域番組記録装置３（図１参照）は、番組記録管理サーバ１から受信した番組予約情報２００（図４参照）に基づき、番組データを記録する。また、地域番組記録装置３は、予約された放送番組の番組データの記録が完了するごとに、その内容を記録コンテンツ情報４００として、番組記録管理サーバ１へ送信する。
なお、本実施形態１に係る地域番組記録装置３は、各ユーザごとに視聴したい番組が放送される１つ以上の視聴地域ａ，ｂ，…，ｍに設置されるものである。
【００４４】
図８は、本実施形態１に係る地域番組記録装置３の構成例を示す機能ブロック図である。図８に示すように、地域番組記録装置３は、制御部３０と、通信部３１と、メモリ部３４と、記憶部３５と、チューナ部３６とを含んで構成される。
【００４５】
制御部３０は、番組予約情報受信部３１０と、記録制御部３２０と、記録コンテンツ情報送信部３３０と、記録コンテンツ配信要求受信部３４０と、記録コンテンツ配信部３５０とを含んで構成される。なお、この制御部３０の機能は、例えば地域番組記録装置３の記憶部３５に記憶されたプログラムをＣＰＵがメモリ部３４に展開し実行することで実現される。
【００４６】
番組予約情報受信部３１０は、番組記録管理サーバ１の番組予約情報振り分け部１４０により送信された番組予約情報２００を受信し、記憶部３５内の地域番組予約情報データベース（ＤＢ）３５１内に記憶する。
そして、記録制御部３２０は、地域番組予約情報データベース３５１に記憶された番組予約情報２００に基づいて、予約時間にチューナ部３６を介して放送波を受信し、番組データを取得して、記憶部３５内の記録コンテンツデータベース（ＤＢ）３５２に記録する。なお、記録コンテンツデータベース３５２内に記録された番組データを、記録コンテンツ６００とよぶ。
続いて、記録コンテンツ情報送信部３３０は、記録コンテンツデータベース３５２に番組データが記録されたことを報知する情報である記録コンテンツ情報４００を、番組記録管理サーバ１へ送信する。
【００４７】
記録コンテンツ配信要求受信部３４０は、番組記録管理サーバ１の記録コンテンツ配信要求振り分け部１６０が振り分けた記録コンテンツ配信要求メッセージを通信部３１を介して受信する。
そして、記録コンテンツ配信部（番組データ配信部）３５０は、記録コンテンツ配信要求受信部３４０が受信した記録コンテンツ配信要求メッセージに基づいて、記録コンテンツデータベース３５２に記録された記録コンテンツ（番組データ）６００を、番組記録管理サーバ１に送信する。
【００４８】
次に、通信部３１は、通信ネットワーク５（図１参照）を介して、番組記録管理サーバ１との間で、番組予約情報２００や記録コンテンツ情報４００に関するデータの送受信を行う。
また、メモリ部３４は、ＲＡＭ等の記憶手段からなり、制御部３０の処理に必要な情報を一時的に記憶する。
記憶部３５は、ハードディスクやフラッシュメモリ等の記憶手段からなり、地域番組予約情報データベース３５１と、記録コンテンツデータベース３５２とを含んで構成される。
また、チューナ部３６は、アンテナを介して放送波を選局して受信する。
【００４９】
このように、各視聴地域に地域番組記録装置３を設けることで、その視聴地域における番組データを記録し、配信することが可能となる。
【００５０】
〔コンテンツ視聴装置〕
コンテンツ視聴装置４（図１参照）は、番組記録管理サーバ１を介して地域番組記録装置３から記録コンテンツ（番組データ）６００を受信し、後記する出力部４３においてユーザに受信した放送番組を表示する。
このコンテンツ視聴装置４は、インターネット等を介して接続される、ＰＣやＩＰＴＶ（Internet Protocol Television）でもよいし、例えばＰＤＡ（Personal Digital Assistants）などのユーザが屋外に持ち出して使用する装置でもよい。また、このコンテンツ視聴装置４は、番組記録管理サーバ１の視聴装置情報データベース１５５（図３参照）に、その装置アドレス５０１（図７参照）を予め登録しておくものである。
【００５１】
図９は、本実施形態１に係るコンテンツ視聴装置４の構成例を示す機能ブロック図である。
図９に示すように、コンテンツ視聴装置４は、制御部４０と、通信部４１と、入力部４２と、出力部４３と、メモリ部４４と、記憶部４５とを含んで構成される。
【００５２】
制御部４０は、記録コンテンツ情報要求部４４０、記録コンテンツ配信要求部４５０、記録コンテンツ受信部４６０、および表示制御部４７０を含んで構成される。これらの構成は、携帯端末２と同様の機能を有するものであり、説明は省略する。
本実施形態１において、携帯端末２から地域番組記録装置３に記録した記録コンテンツ６００の配信を番組記録管理サーバ１に対して要求することもできるし、このコンテンツ視聴装置４から、番組記録管理サーバ１に対して記録コンテンツ６００の配信を要求することもできる。
そして、番組記録管理サーバ１を介して、地域番組記録装置３から記録コンテンツ６００を受信したコンテンツ視聴装置４は、表示制御部４７０の制御により出力部４３に番組データを出力する。
【００５３】
このようにすることで、自己の放送エリア外の地域番組記録装置３が記録した番組データを、コンテンツ視聴装置４において視聴することが可能となる。
【００５４】
次に、図１〜９を参照しつつ、図１０に沿って、本実施形態１に係る番組記録システム９の処理について説明する。なお、本実施形態１においては、テレビ放送、ラジオ放送等を問わず適応可能であるが、ここでは、テレビ放送を予約録画するものとして説明する。
【００５５】
図１０は、本実施形態１に係る番組記録システム９の処理の流れを示すシーケンス図である。
図１０において、まず、携帯端末２（２Ａ）の地域番組情報要求部２１０（図２参照）は、通信ネットワーク５（図１参照）を介して、番組記録管理サーバ１の制御部１０の制御によりＵＲＬによって指定されるＷｅｂページにアクセスする。そして、地域番組情報要求部２１０は、ユーザにより予約録画したい放送番組の視聴地域（放送エリア）が選択されると（ステップＳ１００１）、その視聴地域の放送番組情報１００の取得を要求する地域番組情報要求メッセージを、番組記録管理サーバ１へ送信する（ステップＳ１００２）。
【００５６】
次に、番組記録管理サーバ１の地域番組情報要求取得部１１０（図３参照）が、携帯端末２から地域番組情報要求メッセージを取得する。そして、地域番組情報送信部１２０が、地域番組情報要求メッセージで指定される視聴地域（放送エリア）の放送番組情報１００（例えば、放送番組情報１００ａ，１００ｂ）を、地域番組情報データベース１５１から取得し、通信部１１を介して携帯端末２へ送信する（ステップＳ１００３）。
【００５７】
続いて、携帯端末２の地域番組情報受信部２２０（図２参照）は、地域番組情報要求部２１０で要求した視聴地域の放送番組情報１００を番組記録管理サーバ１から受信する。そして、地域番組情報受信部２２０は、表示制御部２７０を介して出力部２３に、放送番組情報１００を表示する。
【００５８】
そして、携帯端末２の番組予約情報送信部２３０は、出力部２３に表示した放送番組情報１００から、ユーザにより録画したい予約番組が入力部２２を介して選択されると（ステップＳ１００４）、その選択された放送番組についての地域情報２０２を含む番組予約情報２００（図４参照）を、番組記録管理サーバ１に送信する（ステップＳ１００５）。
【００５９】
次に、番組記録管理サーバ１の番組予約情報取得部１３０（図３参照）が、ユーザにより選択された予約番組に関する番組予約情報２００を、携帯端末２から取得する。そして、番組予約情報取得部１３０は、取得した番組予約情報２００を番組予約情報データベース１５２に記憶する。
【００６０】
続いて、番組記録管理サーバ１の番組予約情報振り分け部１４０は、番組予約情報取得部１３０が取得した番組予約情報２００に含まれるユーザＩＤ２０１と地域情報２０２（図４参照）とに基づき、記憶部１５内の地域番組記録装置情報データベース１５３に記憶された地域番組記録装置情報３００（図５参照）を用いて、番組予約情報２００を各視聴地域の地域番組記録装置３（３Ａａ，３Ａｂ）に振り分けて送信する（ステップＳ１００６）。
【００６１】
次に、地域番組記録装置３の番組予約情報受信部３１０（図８参照）が、番組記録管理サーバ１から番組予約情報２００を受信し、記憶部３５内の地域番組予約情報データベース３５１に、受信した番組予約情報２００を記憶する（ステップＳ１００７）。
【００６２】
そして、地域番組記録装置３の記録制御部３２０は、地域番組予約情報データベース３５１に記憶された番組予約情報２００に基づいて、予約時間にチューナ部３６を介して放送波を受信し、番組データを取得して、記憶部３５内の記録コンテンツデータベース３５２に記録する（ステップＳ１００８）。
【００６３】
続いて、地域番組記録装置３の記録コンテンツ情報送信部３３０は、記録コンテンツデータベース３５２に番組データが記録されたことを契機として、その記録された記録コンテンツ６００に関する情報を、記録コンテンツ情報４００（図６参照）として、番組記録管理サーバ１へ送信する（ステップＳ１００９）。
【００６４】
次に、番組記録管理サーバ１の記録コンテンツ情報取得部１５０（図３参照）は、各地域番組記録装置３から、番組データの予約録画が完了したことを示す記録コンテンツ情報４００を取得し、記憶部１５内の記録コンテンツ情報データベース１５４に記憶する（ステップＳ１０１０）。
【００６５】
そして、携帯端末２の記録コンテンツ情報要求部２４０（図２参照）は、予約録画された放送番組を視聴するために、各地域番組記録装置３が記録した番組データのリストである記録コンテンツ情報４００の取得を要求する記録コンテンツ情報要求メッセージを、番組記録管理サーバ１に対して送信する（ステップＳ１０１１）。
【００６６】
続いて、番組記録管理サーバ１の記録コンテンツ情報取得部１５０（図３参照）は、携帯端末２から送信された記録コンテンツ情報要求メッセージに応答して、記録コンテンツ情報データベース１５４に記憶された記録コンテンツ情報４００のユーザごとのリストを作成し、携帯端末２へ送信する（ステップＳ１０１２）。
【００６７】
次に、携帯端末２の記録コンテンツ配信要求部２５０（図２参照）は、番組記録管理サーバ１から記録コンテンツ情報４００を受信し、表示制御部２７０を介してその記録コンテンツ情報４００を出力部２３に表示させる。そして、出力部２３に表示された記録コンテンツ情報４００から、視聴するコンテンツが入力部２２を介してユーザにより決定される（ステップＳ１０１３）。そして、記録コンテンツ配信要求部２５０は、ユーザが予め登録した携帯端末２やコンテンツ視聴装置４のうちのどの機器に番組データを配信させるかをユーザに選択させる（ステップＳ１０１４）。次に、記録コンテンツ配信要求部２５０は、その決定されたコンテンツと選択された配信先についての情報を含む記録コンテンツ配信要求メッセージを、番組記録管理サーバ１へ送信する（ステップＳ１０１５）。
【００６８】
そして、記録コンテンツ配信要求メッセージを受信した番組記録管理サーバ１の記録コンテンツ配信要求振り分け部（番組データ配信要求振り分け部）１６０（図３参照）は、地域番組記録装置情報データベース１５３に記憶された地域番組記録装置情報３００を用いて、該当する地域番組記録装置３に、記録コンテンツ配信要求メッセージを振り分けて送信する（ステップＳ１０１６）。
【００６９】
続いて、地域番組記録装置３の記録コンテンツ配信要求受信部３４０（図８参照）は、番組記録管理サーバ１から記録コンテンツ配信要求メッセージを受信する。そして、記録コンテンツ配信部（番組データ配信部）３５０は、記録コンテンツ配信要求受信部３４０が受信した記録コンテンツ配信要求メッセージに基づいて、記録コンテンツデータベース３５２に記録された番組データを、番組記録管理サーバ１に送信する（ステップＳ１０１７）。
【００７０】
次に、番組記録管理サーバ１の記録コンテンツ転送部（番組データ転送部）１７０（図３参照）は、地域番組記録装置３から番組データを取得する。そして、記録コンテンツ転送部１７０は、番組データの配信先を、携帯端末２の記録コンテンツ配信要求部２５０の処理により選択された装置に決定し（ステップＳ１０１８）、その決定した装置の装置アドレス５０１を、記憶部１５内の視聴装置情報データベース１５５に記憶された視聴装置情報５００（図７参照）を用いて取得し、番組データを選択された装置に配信する（ステップＳ１０１９）。
【００７１】
このようにすることで、本実施形態１に係る番組記録システム９、番組記録管理サーバ１、および地域番組記録装置３を有する記録センタは、自己の放送エリア外の放送番組を予約し番組データを記録すること可能とし、その記録した番組データを配信することができる。
また、本実施形態１に係る番組記録システム９によれば、ユーザはビデオレコーダ等の記録機器を自宅に設置する必要をなくすことができる。
【００７２】
さらに、本実施形態１に係る地域番組記録装置３は、ユーザにより各視聴地域ａ，ｂ，…，ｍに設置されるものであるが、本番組記録システム９のサービス提供者が、各視聴地域ａ，ｂ，…，ｍに地域番組記録装置３の設置場所を提供することもできる。その場合、各ユーザの地域番組記録装置３に備えるチューナ部３６（図８参照）を、共有して１つのチューナ部３６として設置することも可能となる。
【００７３】
〔実施形態２〕
次に、本実施形態２に係る番組記録システム９（９´）について説明する。実施形態１においては、各視聴地域ａ，ｂ，…，ｍにおいて、各ユーザごとに地域番組記録装置３が設置され、その地域番組記録装置３の記憶部３５に番組データが記録されるものとした。以下に説明する実施形態２に係る番組記録システム９（９′）においては、各視聴地域ａ，ｂ，…，ｍにおいて、各ユーザが共有して使用する記録サーバ７５を備えることを特徴とする。
【００７４】
図１１は、本実施形態２に係る番組記録システム９（９´）の構成例を示す図である。図１の実施形態１に係る番組記録システム９との違いは、各視聴地域ａ，ｂ，…，ｍにおいて、地域番組記録装置３ではなく、地域番組記録制御サーバ７がユーザＡ，Ｂ，…，Ｎごとに設けられていることである。この地域番組記録制御サーバ７には、地域番組記録装置３の記憶部３５に相当する構成はなく、その代わりに各ユーザが共有して使用する記録サーバ７５が各視聴地域ａ，ｂ，…，ｍに設けられている。
【００７５】
図１２は、本実施形態２に係る地域番組記録制御サーバ７と記録サーバ７５の構成例を示す機能ブロック図である。なお、実施形態１の地域番組記録装置３（図８参照）と同様の機能を備える構成は、同一の名称と符号を付し、説明は省略する。
図１２に示すように、各ユーザＡ，Ｂ，…，Ｎが各視聴地域ａ，ｂ，…，ｍにおいて設置する地域番組記録制御サーバ７（７Ａ，７Ｂ，７Ｃ，…）においては、図８の地域番組記録装置３の記憶部３５に相当する記憶手段が設けられていない。また、記録サーバ７５は、各地域番組記録制御サーバ７（７Ａ，７Ｂ，７Ｃ，…）が通信部３１を介して取得する番組予約情報２００（２００Ａ，２００Ｂ，２００Ｃ，…）が記憶される地域番組予約情報データベース７５１、および記録制御部３２０がチューナ３６を介して取得する番組データである記録コンテンツ６００（６００Ａ，６００Ｂ，６００Ｃ，…）が記録される記録コンテンツデータベース７５２を備えている。
【００７６】
地域番組記録制御サーバ７（７Ａ，７Ｂ，７Ｃ，…）の番組予約情報受信部３１０は、番組記録管理サーバ１から番組予約情報２００を受信すると、記録サーバ７５内の地域番組予約情報データベース７５１にその情報を記憶する。また、記録制御部３２０は、記録サーバ７５に記憶された番組予約情報２００に基づいて、予約時間にチューナ部３６を介して放送波を受信し、番組データを取得して、記録サーバ７５内の記録コンテンツデータベース７５２に記録する。
【００７７】
本実施形態２においては、実施形態１のように各ユーザごとに設置された地域番組記録装置３の記憶部３５（図８参照）に番組予約情報２００および記録コンテンツ６００を記憶するのではなく、各視聴地域に設けられた記録サーバ７５にデータを一括して記憶する。各ユーザは、記録サーバ７５において割り当てられた記憶領域の一部を、自己の地域番組記録制御サーバ７の記憶手段として使用する。
【００７８】
このようにすることで、本実施形態２に係る番組記録システム９（９′）は、各ユーザが各視聴地域において、個々に記憶手段（図８の記憶部３５）を設ける必要をなくすことができる。そして、各ユーザは、記憶容量をサービス提供者との契約により容易に変更でき、ユーザ自身による記憶手段の取り替えやメンテナンスの手間を取り除くことができる。
なお、本実施形態２において、各ユーザの地域番組記録制御サーバ７（７Ａ，７Ｂ，７Ｃ，…）に備えるチューナ部３６（図１２参照）を、共有して１つのチューナ部３６とすることもできる。
【００７９】
〔実施形態３〕
次に、本実施形態３に係る番組記録システム９（９″）について説明する。実施形態１および実施形態２に係る番組記録システム９おいては、各ユーザＡ，Ｂ，…，Ｎごとに設けられた地域番組記録装置３（図１参照）または地域番組記録制御サーバ７（図１１参照）が、番組記録管理サーバ１を介して携帯端末２から受信した番組予約情報２００に基づき、その予約時間に番組データを記憶手段に記録する構成とした。本実施形態３に係る番組記録システム９（９″）においては、各視聴地域ａ，ｂ，…，ｍにおいて視聴可能なすべての放送番組を常時記録するマスタ地域番組記録装置８を備え、各ユーザは、このマスタ地域番組記録装置８が記録した番組データを取得して、ユーザ記録装置８５に記録することを特徴とする。
【００８０】
図１３は、本実施形態３に係る番組記録システム９（９″）の構成例を示す図である。図１の実施形態１および図１１の実施形態２に係る番組記録システム９との違いは、各視聴地域ａ，ｂ，…，ｍにおいて、サービス提供者が設置する１つのマスタ地域番組記録装置８と、各ユーザごとに設置されるユーザ記録装置８５が設けられていることである。
【００８１】
図１４は、本実施形態３に係るマスタ地域番組記録装置８とユーザ記録装置８５の構成例を示す機能ブロック図である。なお、実施形態１の地域番組記録装置３（図８参照）と同様の機能を備える構成は、同一の名称と符号を付し、説明は省略する。
図１４に示すように、各視聴地域に設置されるマスタ地域番組記録装置８は、制御部８０内にマスタ記録制御部８２０を備える。このマスタ記録制御部（記録制御部）８２０は、チューナ部３６を介して、その視聴地域の放送波を受信してすべての番組データを取得し、マスタ記憶部８１に記録する。
【００８２】
マスタ記憶部８１は、マスタ地域番組予約情報データベース（ＤＢ）８１１とマスタ記録コンテンツデータベース（ＤＢ）８１２とを備える。マスタ地域番組予約情報データベース８１１には、番組予約情報受信部３１０により、番組記録管理サーバ１（図１３参照）を介して各携帯端末２から受信したユーザＡ，Ｂ，…，Ｎごとの番組予約情報２００（２００Ａ，２００Ｂ，２００Ｃ，…）が記憶される。マスタ記録コンテンツデータベース８１２には、マスタ記録制御部８２０により、チューナ部３６を介して取得したその視聴地域におけるすべての番組データが、マスタ記録コンテンツ８００として記録される。
【００８３】
また、ユーザ記録装置８５（８５Ａ，８５Ｂ，８５Ｃ，…）は、各ユーザＡ，Ｂ，…，Ｎごとに、ユーザが視聴したい番組の視聴地域ａ，ｂ，…，ｍに設置されるハードディスク等の記録手段である。各ユーザ記録装置８５は、マスタ地域番組記録装置８から取得した記録コンテンツ６００を記録する記録コンテンツデータベース（ＤＢ）８５２を備える。
【００８４】
マスタ地域番組記録装置８のマスタ記録制御部（記録制御部）８２０は、マスタ地域番組予約情報ＤＢ８１１内のユーザごとの番組予約情報２００を参照し、マスタ記録コンテンツデータベース８１２への記録が終了した番組データについて、個々のユーザにより設置されたユーザ記録装置（記憶部）８５（８５Ａ，８５Ｂ，８５Ｃ，…）に、その記録コンテンツ（番組データ）６００を記録させる。
そして、マスタ地域番組記録装置８の記録コンテンツ配信要求受信部３４０は、携帯端末２（図１３参照）から番組記録管理サーバ１を介して、記録コンテンツ配信要求メッセージを受信すると、ユーザ記録装置８５に記録された記録コンテンツ６００を、記録コンテンツ配信部３５０の制御により、番組記録管理サーバ１へ送信する。
【００８５】
このようにすることで、本実施形態３に係る番組記録システム９（９″）によれば、各ユーザは、希望する視聴地域にユーザ記録装置８５さえ設置すれば、チューナ部３６や制御部８０を備えたサーバ装置をユーザ自身で設置することなく、ユーザ記録装置８５に番組データの記録を行うことができる。
また、ユーザは、ユーザ自身が設置したユーザ記録装置８５が故障した場合、誤った予約録画の設定をして希望する放送番組の録画ができない場合、あるいは予約を忘れていた場合であっても、マスタ地域番組記録装置８のマスタ記録コンテンツＤＢ８１２から、番組データを自己のユーザ記録装置８５に取得することが可能となる。
【００８６】
また、本実施形態３に係るマスタ記録コンテンツデータベース８１２に記録される番組データは、放送波をそのまま受信するものであるため、例えば、番組データが３０分の番組であれば、実際の番組内容の前後とその番組の間において広告映像データ（コマーシャル）が挿入されているものである。本実施形態３に係るサービス提供者は、この広告映像データを、例えば携帯端末２で特定されるユーザの年齢や性別等の属性に適した広告映像データに差し替えて、各ユーザが設置するユーザ記録装置８５に記録させることができる。このようにすることで、サービス提供者が広告収入を得ることにより、ユーザによるユーザ記録装置８５の設置費用の負担を軽減させることができる。
【００８７】
なお、本実施形態１ないし３において、記録センタは複数の視聴地域ａ，ｂ，…，ｍに設置されるものとして説明した。しかし、サービス提供者が、ある一地域のみにおいて本実施形態に係る記録センタを設置し、ユーザとサービス提供者との契約により番組記録管理サーバ１と接続する番組記録装置が記録センタに設置される場合においても、ユーザはビデオレコーダ等の記録機器を自宅に設置することなく、番組の予約記録をすることが可能となる。そして、ユーザは、番組記録装置に記録した放送番組を、自己の携帯端末２やコンテンツ視聴装置４に配信させることが可能となる。
【符号の説明】
【００８８】
１      番組記録管理サーバ
２      携帯端末
３      地域番組記録装置（番組記録装置）
４      コンテンツ視聴装置
５      通信ネットワーク
６      基地局
７      地域番組記録制御サーバ
８      マスタ地域番組記録装置
９      番組記録システム
１０，２０，３０，４０，８０  制御部
１１，２１，３１，４１  通信部
１４，２４，３４，４４  メモリ部
１５，２５，３５，４５  記憶部
２２，４２  入力部
２３，４３  出力部
３６    チューナ部
７５    記録サーバ
８１    マスタ記憶部
８５    ユーザ記録装置（記憶部）
１００  放送番組情報
１１０  地域番組情報要求取得部
１２０  地域番組情報送信部
１３０  番組予約情報取得部
１４０  番組予約情報振り分け部
１５０  記録コンテンツ情報取得部
１５１  地域番組情報データベース（ＤＢ）
１５２  番組予約情報データベース（ＤＢ）
１５３  地域番組記録装置情報データベース（ＤＢ）
１５４  記録コンテンツ情報データベース（ＤＢ）
１５５  視聴装置情報データベース（ＤＢ）
１６０  記録コンテンツ配信要求振り分け部（番組データ配信要求振り分け部）
１７０  記録コンテンツ転送部（番組データ転送部）
２００  番組予約情報
２１０  地域番組情報要求部
２２０  地域番組情報受信部
２３０  番組予約情報送信部
２４０，４４０  記録コンテンツ情報要求部
２５０，４５０  記録コンテンツ配信要求部
２６０，４６０  記録コンテンツ受信部
２７０，４７０  表示制御部
３００  地域番組記録装置情報
３１０  番組予約情報受信部
３２０  記録制御部
３３０  記録コンテンツ情報送信部
３４０  記録コンテンツ配信要求受信部
３５０  記録コンテンツ配信部（番組データ配信部）
３５１，７５１  地域番組予約情報データベース（ＤＢ）
３５２，７５２，８５２  記録コンテンツデータベース（ＤＢ）
４００  記録コンテンツ情報
５００  視聴装置情報
６００  記録コンテンツ
８００  マスタ記録コンテンツ
８１１  マスタ地域番組予約情報データベース（ＤＢ）
８１２  マスタ記録コンテンツデータベース（ＤＢ）
８２０  マスタ記録制御部（記録制御部）
【図１】
2010278934.tif 000003
【図２】
2010278934.tif 000004
【図３】
2010278934.tif 000005
【図４】
2010278934.tif 000006
【図５】
2010278934.tif 000007
【図６】
2010278934.tif 000008
【図７】
2010278934.tif 000009
【図８】
2010278934.tif 000010
【図９】
2010278934.tif 000011
【図１０】
2010278934.tif 000012
【図１１】
2010278934.tif 000013
【図１２】
2010278934.tif 000014
【図１３】
2010278934.tif 000015
【図１４】
2010278934.tif 000016